(57)【要約】【課題】施錠操作性及び解錠操作性を向上させた引き戸の防犯錠、開閉引き戸装置を提供する。【解決手段】室内側戸２１及び室外側戸２５の召合せ部に装備される防犯錠４である。防犯錠４は、室内側戸２１に設けられ室内側戸２１に保持される保持部５２をもつ基部５と、基部５に対して直進移動可能に設けられた軸状部材６とを具備する。軸状部材６は、押し込み操作に伴い、室外側戸２５に押し込まれる方向に移動することにより室外側戸２５の被係止部３０に係止して施錠位置となる。軸状部材６は、引き込み操作に伴い、室外側戸２５から遠ざかる方向に移動して室外側戸２５の被係止部３０から離脱して解錠位置となる先端係止部６２をもつ。【選択図】  図６
2005133484.tif 000002
【特許請求の範囲】
【請求項１】
室内側戸及び室外側戸の召合せ部に装備される防犯錠であって、
前記室内側戸に設けられ前記室内側戸に保持される保持部をもつ基部と、
前記基部に対して軸長方向に沿って直進移動可能に設けられ、押し込み操作に伴い前記室外側戸に押し込まれる方向に移動することにより前記室外側戸の被係止部に係止して施錠位置となると共に、引き込み操作に伴い前記室外側戸から遠ざかる方向に移動して前記室外側戸の前記被係止部から離脱して解錠位置となる先端係止部をもつ軸状部材とを具備することを特徴とする引き戸の防犯錠。
【請求項２】
請求項１において、前記軸状部材を施錠位置にロックするロック部と前記ロック部のロックを解除操作するロック解除部とを有するロック部材が前記基部に設けられていることを特徴とする引き戸の防犯錠。
【請求項３】
請求項２において、前記軸状部材はこれの外壁部に凹または凸からなる被ロック部を有しており、前記ロック部材の前記ロック部は、前記軸状部材の押し込み操作に伴い前記軸状部材の軸長方向に対して交差する方向に移動して前記軸状部材の外周部の前記被ロック部に係止されることを特徴とする引き戸の防犯錠。
【請求項４】
請求項３において、前記ロック部材は、前記軸状部材をこれの軸長方向に沿って直動可能に挿通する第１挿通孔を有しており、前記ロック部材のロック部は前記第１挿通孔の周縁部で形成されていることを特徴とする引き戸の防犯錠。
【請求項５】
請求項１〜請求項４のうちのいずれか一項において、前記ロック部材は弾性部材を有しており、前記弾性部材は、軸状部材の押し込み操作に伴い前記軸状部材が前記施錠位置に向けて移動するとき、前記軸状部材を前記解錠位置に向けて付勢する付勢力を蓄積すると共に、前記ロック部のロック解錠に伴い、前記蓄積した付勢力で前記軸状部材を前記解錠位置に向けて復帰させることを特徴とする引き戸の防犯錠。
【請求項６】
請求項５において、前記弾性部材は、前記軸状部材の外壁部に巻回されたコイル状のバネであることを特徴とする引き戸の防犯錠。
【請求項７】
請求項５において、前記ロック部材は、前記軸状部材を直動可能に挿通する前記第１挿通孔の他に、前記軸状部材の他の部分を直動可能に挿通する第２挿通孔を有しており、
前記軸状部材の押し込み操作に伴い前記軸状部材または前記弾性部材が前記第２挿通孔の周縁部を加圧することにより、前記軸状部材の軸長方向に対して交差する方向に前記ロック部材の前記ロック部を移動させて前記軸状部材の外壁部の前記被ロック部に係止させることを特徴とする引き戸の防犯錠。
【請求項８】
室内側に設けられる室内側戸と、
室外側に設けられる室外側戸と、
前記室内側戸及び前記室外側戸の召合せ部に装備される錠装置とを具備する開閉引き戸装置において、
前記錠装置は、請求項１〜請求項７のうちのいずれか一項に係る防犯錠で構成されていることを特徴とする開閉引き戸装置。
【請求項９】
請求項８において、主防犯錠に併せて、請求項１〜請求項７のうちのいずれか一項に係る防犯錠が補助錠として装備されていることを特徴とする開閉引き戸装置。
【請求項１０】
請求項９において、前記補助錠は前記主防犯錠よりも上側に位置することを特徴とする開閉引き戸装置。
【請求項１１】
請求項１０において、前記補助錠は前記主防犯錠よりも少なくとも４００ミリメートル離れていることを特徴とする開閉引き戸装置。
【発明の詳細な説明】
【技術分野】
【０００１】
本発明は、家屋及びビル等の構造物に装備されている窓及びドア等に代表されるスライド式の引き戸に使用される防犯錠、及び、当該防犯錠が装備された開閉引き戸装置に関する。
【背景技術】
【０００２】
従来、家屋等に装備されている引き戸等において、主防犯錠と共に併用される補助錠は回動式の軸状部材を有しており、指先等により軸状部材をこれの周方向に沿って多数回回転操作させてねじ込む方式である。また特許文献１には、窓サッシ等において主防犯錠と共に併用される補助錠が開示されている。この補助錠は、窓サッシの下側の横框に取り付けられており、シーソー回動式のストッパが設けられている。
【特許文献１】特開２００２−４６７０号公報
【発明の開示】
【発明が解決しようとする課題】
【０００３】
上記した軸状部材を回動させることにより軸状部材を逐一ねじ込む方式の技術によれば、軸状部材をこれの周方向に積極的に多数回回転させねばならず、施錠操作または解錠操作に時間を要し、施錠操作性及び解錠操作性が必ずしも充分ではない。また上記した公報技術に係る補助錠によれば、ストッパを指先等で押圧操作することより、ストッパをシーソー回動式により回動させるものであり、軸状部材をこれの軸長方向に沿って直動させる方式ではなく、更に改善が要望されている。
【０００４】
本発明は上記した実情に鑑みてなされたものであり、施錠操作性及び解錠操作性を向上させた引き戸の防犯錠を提供することを課題とする。
【課題を解決するための手段】
【０００５】
様相１に係る引き戸の防犯錠は、室内側戸及び室外側戸の召合せ部に装備される防犯錠であって、
室内側戸に設けられ室内側戸に保持される保持部をもつ基部と、
基部に対して軸長方向に沿って直進移動可能に設けられ、押し込み操作に伴い室外側戸に押し込まれる方向に移動することにより室外側戸の被係止部に係止して施錠位置となると共に、引き込み操作に伴い室外側戸から遠ざかる方向に移動して室外側戸の被係止部から離脱して解錠位置となる先端係止部をもつ軸状部材とを具備することを特徴とする。
【０００６】
様相１に係る引き戸の防犯錠によれば、施錠の際には、室内側戸及び室外側戸を閉鎖した状態において、室内側戸及び室外側戸の召合せ部に指先等で軸状部材をこれの軸長方向に沿って押し込み操作することにより、軸状部材を基部に対して直進移動させる。この結果、軸状部材を室外側戸に押し込み方向に移動させる。これにより軸状部材の先端係止部を室外側戸の框の被係止部に係止させて施錠位置とする。この場合、室内側戸及び室外側戸のうちの一方または双方を開放しようとしても、当該一方または双方を開放することができない。
【０００７】
また解錠の際には、軸状部材をこれの軸長方向に沿って指先等で引き込み操作させることにより、軸状部材を室外側戸から遠ざかる方向に移動させる。これにより軸状部材の先端係止部を室外側戸の被係止部から離脱させて解錠位置とする。この場合、室内側戸及び室外側戸のうちの一方または双方を開放しようとすると、当該一方または双方を開放することができる。上記したように施錠及び解錠の際に、軸状部材をこれの軸長方向に沿って直動させるものの、軸状部材をこれの周方向に積極的に多数回回転させる必要がなく、施錠操作性及び解錠操作性が改善される。
【０００８】
上記した室内側戸及び室外側戸としては、窓またはドア等を採用することができる。ドアは透明窓を有するものでも、有しないものでも良い。窓は、腰窓、掃き出し窓等を例示できる。ドアはスライド式の引きドアを採用できる。召合せ部は、室内側戸及び室外側戸を閉鎖したとき、室内側戸の縁部と室外側戸の縁部とが対面している部位をいう。框を有する窓の場合には、召合せ部は召合せ框ということが多い。框（かまち）は、窓またはドア等の引き戸に存在する補強枠または補強支柱としての機能を奏する部位をいう。軸状部材とは長さが径よりも大きいものをいう。軸状部材の断面形状は、特に限定されず、円形状でも、楕円形状でも、角形状でも良い。軸状部材としては中空状でも中実状でも良い。
【０００９】
様相２に係る引き戸の防犯錠によれば、上記した特徴に加えて、軸状部材を施錠位置にロックするロック部とロック部のロックを解除操作するロック解除部とを有するロック部材が基部に設けられていることを特徴とする。この場合、軸状部材が施錠位置にあるとき、ロック部材のロック部が軸状部材を施錠位置にロックするため、軸状部材は引き抜きは抑止される。このため侵入者が仮に軸状部材を操作しようとしても、軸状部材を引き抜き操作することができず、軸状部材は施錠位置に良好に維持され、防犯上有利である。ロック解除部をロック解除方向に操作すれば、ロック部によるロック解除が行われ、軸状部材を解錠位置とすることができる。
【００１０】
様相３に係る引き戸の防犯錠によれば、上記した特徴に加えて、軸状部材はこれの外壁部に凹または凸からなる被ロック部を有しており、ロック部材のロック部は、軸状部材の押し込み操作に伴い軸状部材の軸長方向に対して交差する方向に移動して軸状部材の外周部の被ロック部に係止されることを特徴とする。この場合、軸状部材の押し込み操作に伴い、ロック部材のロック部は、軸状部材の軸長方向に対して交差する方向に移動し、軸状部材の外周部の被ロック部に係止され、ロック作用が実現される。このため侵入者が仮に軸状部材を引き抜き操作しようとしても、軸状部材を引き抜き操作することができず、軸状部材は施錠位置に良好に維持され、防犯上有利である。ここで、軸状部材の被ロック部とは、軸状部材の外壁部に形成されている凹及び凸のうちの少なくとも一方で形成された部位をいい、例えば溝とすることができる。溝としては、軸状部材の周方向に沿って連続的にまたは断続的に形成されたリング溝とすることができる。
【００１１】
様相４に係る引き戸の防犯錠によれば、上記した特徴に加えて、ロック部材は、軸状部材をこれの軸長方向に沿って直動可能に挿通する第１挿通孔を有しており、ロック部材のロック部は第１挿通孔の周縁部で形成されていることを特徴とする。この場合、軸状部材の押し込み操作に伴い、ロック部材のロック部である第１挿通孔の周縁部は、軸状部材の軸長方向に対して交差する方向に移動し、軸状部材の外周部の被ロック部に係止され、ロック作用が実現される。このため侵入者が仮に軸状部材を引き抜き操作しようとしても、軸状部材を引き抜き操作することができず、軸状部材は施錠位置に良好に維持され、防犯上有利である。様相４に係る引き戸の防犯錠によれば、ロック部材の第１挿通孔は軸状部材を直動可能に挿通しているため、基部から軸状部材が外れることを防止する機能と、軸状部材をロックするロック機能とを果たす。
【００１２】
様相５に係る引き戸の防犯錠によれば、上記した特徴に加えて、ロック部材は弾性部材を有しており、弾性部材は、軸状部材の押し込み操作に伴い軸状部材が施錠位置に向けて移動するとき、軸状部材を解錠位置に向けて付勢する付勢力を蓄積すると共に、ロック部のロック解錠に伴い、蓄積した付勢力で軸状部材を解錠位置に向けて復帰させることを特徴とする。このようにロック部のロック解錠するとき、弾性部材の付勢力で軸状部材をこれの軸長方向に沿って移動させることができ、軸状部材を解錠位置に自動復帰させることができ、解錠の操作性が良好である。
【００１３】
様相６に係る引き戸の防犯錠によれば、上記した特徴に加えて、弾性部材は、軸状部材の外周部に巻回されたコイル状のバネであることを特徴とする。この場合、弾性部材は、軸状部材の外壁部に巻回されたコイル状のバネであるため、弾性部材を配置するための大きなスペースが必要とされず、防犯錠の小型化に有利であり、防犯錠を召合い框に組み込むのに有利となる。
【００１４】
様相７に係る引き戸の防犯錠によれば、上記した特徴に加えて、ロック部材は、軸状部材を直動可能に挿通する第１挿通孔の他に、軸状部材の他の部分を直動可能に挿通する第２挿通孔を有しており、軸状部材の押し込み操作に伴い軸状部材または弾性部材が第２挿通孔の周縁部を加圧することにより、軸状部材の軸長方向に対して交差する方向にロック部材のロック部を移動させて軸状部材の外壁部の被ロック部に係止させることを特徴とする。この場合、軸状部材の押し込み操作に伴い、軸状部材または弾性部材がロック部材のうち第２挿通孔の周縁部を加圧することにより、軸状部材の軸長方向に対して交差する方向にロック部材のロック部が移動する。これによりロック部材のロック部が軸状部材の外壁部の被ロック部に係止する。また軸状部材がロック部材の第１挿通孔及び第２挿通孔に挿通されているため、軸状部材の過剰変位を抑えることができ、軸状部材をこれの正常な姿勢を維持するのに有利である。
【００１５】
様相８に係る開閉引き戸装置は、室内側に設けられる室内側戸と、室外側に設けられる室外側戸と、室内側戸及び室外側戸の召合せ部に装備される錠装置とを具備する開閉引き戸装置において、錠装置は、前記した各様相のずれかに係る防犯錠で構成されていることを特徴とする。この場合、上記した様相に応じた作用効果が得られる。
【００１６】
様相９に係る開閉引き戸装置によれば、主防犯錠に併せて、前記した各様相のずれかに係る防犯錠が補助錠として装備されていることを特徴とする。この場合、当該防犯錠が補助錠として主防犯錠と併せて使用されているため、防犯性が向上する。主防犯錠としては一般的に用いられる周知構造のクレセント等の防犯錠を採用することができる。補助錠としての当該防犯錠を取り付ける位置としては、引き戸のうちクレセント等の主防犯錠付近が侵入者により破られたときであっても、手が届きにくくするため、クレセント等の主防犯錠の上方とすることが好ましい。ただし、これに限定されるものではない。
【００１７】
様相１０に係る開閉引き戸装置によれば、補助錠は主防犯錠よりも上側に位置することを特徴とする。侵入者の手が補助錠に届きにくくなるため、主防犯錠が仮に解錠または破壊されたとしても、補助錠の施錠機能が確保されやすい。この場合、腰窓等に適する。
【００１８】
様相１１に係る開閉引き戸装置によれば、補助錠は主防犯錠よりも少なくとも４００ミリメートル離れていることを特徴とする。侵入者の手が補助錠に届きにくくなるため、主防犯錠が仮に解錠または破壊されたとしても、補助錠の施錠機能が確保されやすい。
【発明の効果】
【００１９】
本発明によれば、室内側戸及び室外側戸を閉鎖した状態において、室内側戸及び室外側戸の召合せ部に軸状部材を押し込み操作することにより、軸状部材をこれの軸長方向に沿って基部に対して直進移動させ、これにより軸状部材の先端係止部を室外側戸の被係止部に係止して施錠位置とすることができる。従って、室内側戸及び室外側戸のうちの一方または双方を開放しようとしても、当該一方または双方を開放することができない。上記したように施錠及び解錠の際に、軸状部材をこれの軸長方向に沿って直動（多少の回動を伴う直動形態、回動を伴わない直動形態を含む）させるものの、軸状部材をこれの周方向に積極的に多数回回転させる操作が必要とされず、施錠操作性及び解錠操作性が改善される。
【発明を実施するための最良の形態】
【００２０】
以下、本発明の実施形態を図面を参照して具体的に説明する。図１は家屋や集合住宅等の構造物２の窓枠２０に設けられた開閉引き戸装置１を示す。図２は図１のＩＩ−ＩＩ線に沿った断面図を示す。図１に示すように、開閉引き戸装置１が構造物２の窓枠２０に設けられており、内障子とも呼ばれる室内側戸２１及び外障子とも呼ばれる室外側戸２５により構成されている。室内側戸２１及び室外側戸２５は引き違い窓であり、開閉方向である矢印Ｗ１方向及び矢印Ｗ２方向にそれぞれスライド可能とされている。本実施形態に係る防犯錠４は、室内側戸２１及び室外側戸２５の召合せ框Ｎ（召合せ部）に装備される防犯錠であり、主防犯錠９と併せて用いられる補助錠である。
【００２１】
図１に示すように、室内側戸２１は、互いに対向する縦支柱機能を奏する２個の縦框２２と、互いに対向する横支柱機能を奏する２個の横框２３と、縦框２２及び横框２３に保持されたガラス窓２４とを有する。室外側戸２５は、互いに対向する２個の縦框２６と、互いに対向する２個の横框２７と、縦框２６及び横框２７に保持されたガラス窓２８とを有する。ガラス窓２４，２８は無機ガラスでも有機ガラスでも良い。室内側戸２１及び室外側戸２５の閉鎖時には、室内側戸２１の縦框２２と室外側戸２５の縦框２６とは重なるように対向するため、召合せ框Ｎとなる。召合せ框Ｎとは、図２に示すように、室内Ｋ１に対面する室内側戸２１の縦框２２と、室外Ｋ２に対面する室外側戸２５の縦框２６とが重なるように対面している部位をいう。
【００２２】
なお、図２に示すように、ガラス窓２４，２８の周縁には弾性材料で形成されたシール部材２９が装備されている。室外側戸２５の縦框２６（召合せ框Ｎ）のうち室内側戸２１の縦框２２に対面する部位２２ｘには、被係止部としての被係止孔３０が貫通状態に形成されている。室外側戸２５の縦框２６の空洞には、被係止孔３０に連通する連通孔３１を有する錠受部材３２が取付具としての螺子３３により固定されている。錠受部材３２より部位２２ｘの被係止孔３０付近は補強されている。
【００２３】
図１に示すように、主防犯錠９は室内側戸２１及び室外側戸２５（召合せ框Ｎ）の高さ方向の中央域、あるいは、当該中央域よりもやや下方に装備されている。主防犯錠９と併せて用いられる補助錠として機能する本実施形態に係る防犯錠４の高さ位置は、主防犯錠９の高さ位置よりも寸法ｈ相当ぶん高く設定されている。侵入者が主防犯錠９付近のガラスを破損させ、そこから手を差し込んだときでも、侵入者の手が防犯錠４に容易に届かないようにするためである。寸法ｈとしては、侵入防止性、窓の種類、窓のサイズ等によっても相違するものの、例えば３００〜７００ミリメートル、４００〜６００ミリメートルとすることができる。但しこれに限定されるものではない。
【００２４】
図３は防犯錠４の側面図を示す。図４は防犯錠４の主要素であるロック部材７を示す。図５は防犯錠４の断面図（図３のＶ−Ｖ線に沿った断面図）を示す。図３に示すように、防犯錠４は、箱形状をなす基部５と、基部５に装備された軸状部材６とを有する。軸状部材６は、これの軸長方向（矢印Ｙ１，Ｙ２方向）に基部５に対して直進移動可能とされている。基部５は、取付穴５０を有するナット状の取付部５１をもつ２個の枠状の保持部５２と、保持部５２間に配置され軸状部材６を保持する中間部５３とで形成されている。図５に示すように、基部５の中間部５３は、互いに対向する第１壁部５４及び第２壁部５５と、第１壁部５４及び第２壁部５５を繋ぐと共にストッパ片５６を有する連設壁部５７とをもつ。
【００２５】
図５に示すように、軸状部材６は、一端部が先端係止部６２とされた軸状部材本体６０と、軸状部材本体６０の他端に取り付けられた操作部として機能できる樹脂またはゴム製の操作ノブ６１とを有する。軸状部材６の先端係止部６２は、被係止孔３０への進入性を向上させるための円錐面状の案内面６２ａをもつ。軸状部材６は、施錠機能を果たすべく剛性が高い材料（金属、セラミックス、あるいは硬質樹脂等）で形成されていることが好ましい。図５に示すように、軸状部材６の軸状部材本体６０は、外径がＤ１に設定された第１軸部６０ａと、第１軸部６０ａにバネ着座用の段部６０ｂを介して連設され外径がＤ２（Ｄ２＞Ｄ１）に設定された第２軸部６０ｃと、軸状部材本体６０の外周部にこれを１周するように形成されたリング形状の被ロック部として機能する凹状のロック溝６０ｄと、ロック溝６０ｄに連設された抜け止め軸部６０ｅと、基部５から室内側に露出する操作軸部６０ｆとを有する。抜け止め軸部６０ｅと操作軸部６０ｆとの間の外周部には、抜け止めストッパとして機能するストッパリング６０ｈが取り付けられている。ストッパリング６０ｈが基部５の第１壁部５４に当たるため、軸状部材６の引き抜き方向（矢印Ｙ１方向）への過剰な引き抜きが抑止されている。
【００２６】
図５に示すように、基部５にはロック部材７が取り付けられている。ロック部材７は、板状の第１部材７１と板状の第２部材７２とを接合して形成されている。ロック部材７は、第１部材７１及び第２部材７２を接合する接合部７３と、基部５の連設壁部５７に向けて突出する突出部７４と、突出部７４に形成された円形状の第１挿通孔７５と、突出部７４に対向するように設けられた被加圧部として機能する傾斜部７６と、傾斜部７６に形成された円形状の第２挿通孔７７と、基部５の第１壁部５４から室内側に露出するようにＵ字形状に曲成されたロック解除部７８とを有する。突出部７４の先端７４ｅ及び基部５の連設壁部５７は、互いに当接あるいは接近している。第１挿通孔７５及び第２挿通孔７７は同軸的またはほぼ同軸的にロック部材７に形成されており、互いに対向するようにされている。第１挿通孔７５の周縁部は、軸状部材６の外壁部としての外周部に対面しており、軸状部材６の外周部のロック溝６０ｄに係止可能であり、ロック部材７のロック部７９を形成する。
【００２７】
図５に示すように、基部５の第１壁部５４には、円形状の第３挿通孔５８が形成されている。基部５の第２壁部５５には円形状の第４挿通孔５９が形成されている。基部５の第３挿通孔５８及び第４挿通孔５９は同軸的またはほぼ同軸的に形成されており、互いに対向するようにされている。軸状部材６は、ロック部材７の第１挿通孔７５及び第２挿通孔７７、基部５の第３挿通孔５８及び第４挿通孔５９に直動可能に挿通されている。従って軸状部材６は、これの径方向への過剰な変位が抑制されて正常に姿勢に維持されていると共に、押し込み操作方向（矢印Ｙ２方向）及び引き抜き操作方向（矢印Ｙ１方向）へ直動可能とされる。
【００２８】
図５に示すように、ロック部材７には、コイル状のバネで形成された弾性部材としてのバネ部材８（付勢部材）が付設されている。バネ部材８は軸状部材６の外周部に同軸的にまたはほぼ同軸的に配置されており、傾斜部７６と突出部７４との間に位置している。明確化のため、バネ部材８のうち軸状部材６の裏面側のコイル線も図示する。バネ部材８の一端部８ａは軸状部材６の段部６０ｂに着座していると共に、バネ部材８の他端部８ｂはロック部材７の傾斜部７６の第２挿通孔７７の周縁部７７ｃに着座している。バネ部材８のコイル外径は第２挿通孔７７の投影内径ＤＡ（図４参照）よりも大きく設定されている。従って、バネ部材８の他端部８ｂは第２挿通孔７７の周縁部７７ｃに当接し、第２挿通孔７７から抜けないように設定されている。
【００２９】
ここで、軸状部材６の操作ノブ６１が矢印Ｙ２方向へ押し込み操作されると、軸状部材６がこれの施錠位置に向けて移動するが、このとき軸状部材６がバネ部材８の一端部８ａと共に矢印Ｙ２方向へ移動する。しかしバネ部材８の他端部８ｂはロック部材７の傾斜部７６の第２挿通孔７７の周縁部７７ｃに着座しているため、バネ部材８はこれの長さ方向に弾性収縮してその付勢力を蓄積する。
【００３０】
基部５は室内側戸２１の縦框２２内に固定される。このように縦框２２に固定される基部５の第３挿通孔５８及び第４挿通孔５９に軸状部材６は挿通されているため、軸状部材６は正常な位置に維持されるように基部５に保持されており、ひいては縦框２２に保持されている。また、軸状部材６にロック部材７の第１挿通孔７５及び第２挿通孔７７が挿通されているため、ロック部材７が基部５に保持され、ひいてはロック部材７が基部５や縦框２２から外れることが抑えられている。更に、図５に示すように、ロック部材７の先端部７ｘは、基部５の第２壁部５５と連設壁部５７との交差域５７ｘに回動可能に係合していると共に、ストッパ片５６にも係合可能であるため、ロック部材７の矢印Ｙ１,Ｙ２方向等への外れが抑えられている。このように軸状部材６にロック部材７の第１挿通孔７５及び第２挿通孔７７が挿通されている簡易構造でありながらも、基部５からのロック部材７の外れは抑えられている。
【００３１】
図２に示すように、上記した防犯錠４は室内側戸２１の縦框２２（召合せ框Ｎ）の空洞内に取り付けられている。防犯錠４を室内側戸２１の縦框２２に取り付ける場合について説明を加える。この場合、室内側戸２１を窓枠２０に取り付ける前の状態のように、室内側戸２１の縦框２２に室外側戸２５の縦框２６が対面していない状態とする。この状態において、室内側戸２１の縦框２２に形成されている取付孔２２ｈから閉鎖部材２２ｅを外しておく。そして取付孔２２ｈから縦框２２の空洞の内部に防犯錠４を矢印Ｙ１方向に沿って挿入する（図２参照）。その状態において、縦框２２の壁部２２ｓの透孔２２ｍから挿通した螺子２２ｉを、基部５の取付部５１の取付穴５０に固定する。これにより防犯錠４の基部５を壁部２２ｓ及び壁部２２ｒに当てがった状態で、取付要素としての螺子２２ｉにより基部５を室内側戸２１の縦框２２の壁部２２ｓの裏面に固定する。この場合、ロック解除部７８及び操作ノブ６１が室内側戸２１の縦框２２の開口から室内Ｋ１側に露出しているものの、防犯錠４の大部分は室内側戸２１の縦框２２の空洞の内部に隠蔽されており、防犯上有利である。
【００３２】
図２に示すように、防犯錠４を縦框２２に固定した後で、防犯錠４を挿通した取付孔２２ｈには閉鎖部材２２ｅが螺子止めまたは溶接等により固定される。閉鎖部材２２ｅは開口２２ｆを有する。閉鎖部材２２ｅの開口２２ｆには軸状部材６の先端部が挿通されているため、軸状部材６が傾くことが一層抑制されており、軸状部材６の正常姿勢を維持するのに有利である。閉鎖部材２２ｅの閉鎖機能により、取付孔２２ｈから室内側戸２１の縦框２２の空洞に雨水や塵埃等の異物が侵入することが抑制される。通常時には、図２に示すように、室内側戸２１の縦框２２の取付孔２２ｈ及び閉鎖部材２２ｅは室外側戸２５で覆われているため、侵入者が閉鎖部材２２ｅ及び防犯錠４を取り外すことが阻止され、防犯上有利である。
【００３３】
上記した防犯錠４を施錠する場合について説明する。この場合、室内側戸２１及び室外側戸２５を閉鎖した状態において、軸状部材６の操作ノブ６１を指先等により押し込み操作すると、軸状部材６が矢印Ｙ２方向へ押し込み操作される。操作は、操作ノブ６１を軽く押すワンプッシュ操作で良い。すると図６に示すように、軸状部材６の先端係止部６２が室外側戸２５の縦框２６（召合せ框Ｎ）の被係止孔３０及び錠受部材３２の連通孔３１にそれぞれ挿通されて係止される。これが軸状部材６の施錠位置である。ここで、防犯錠４の施錠のために、軸状部材６が矢印Ｙ２方向への押し込み操作されると、バネ部材８の他端部８ｂはロック部材７の傾斜部７６の第２挿通孔７７の周縁部７７ｃに着座して当該周縁部７７ｃを加圧する。
【００３４】
このため図６に示すように、ロック部材７の傾斜部７６は先端部７ｘを回動支点域として矢印Ｍ１方向に回動する。即ち、ロック部材７の全体は、これの先端部７ｘを回動支点域として、軸状部材６の軸長方向に対して交差する方向であるロック方向（矢印Ｍ１方向）に移動する。この結果、ロック部材７のロック部７９がロック方向（矢印Ｍ１方向）に回動する。故に、図６に示すように第１挿通孔７５の周縁部であるロック部７９がロック方向（矢印Ｍ１方向）に移動して軸状部材６のロック溝６０ｄに自動的に係止され、軸状部材６が施錠位置においてロックされる。上記したように施錠の際に、軸状部材６をこれの軸長方向に沿って直動（多少の回動が伴なう直動形態でも良いし、回動が伴わない直動形態でも良い）させるものの、軸状部材６をこれの軸長方向に沿って多数回積極的に回転させる操作が特に必要とされず、施錠時間が短時間で済み、施錠操作性が改善される。なお、上記したように軸状部材６がロックされている状態では、図６に示すように、ロック溝６０ｄとロック部７９との係合により、軸状部材６の過剰な押し込みが規制される。
【００３５】
上記したように軸状部材６が施錠位置にロックされた状態では、操作ノブ６１を操作したとしても、軸状部材６はこれの軸長方向に沿って引き抜き操作方向（矢印Ｙ１方向）及び押し込み操作（矢印Ｙ２方向）に移動することができず、解錠されない。即ち、室内側戸２１及び室外側戸２５の開放は阻止される。この状態では、軸状部材６が矢印Ｙ２方向へ押し込み操作されているため、バネ部材８はこれの長さ方向に弾性収縮してその付勢力を蓄積する。
【００３６】
上記した防犯錠４を解錠する場合について説明を加える。この場合、指先等によりロック部材７のロック解除部７８をロック解除方向（図６に示す矢印Ｍ２方向）に押圧操作する。すると、ロック部材７が先端部７ｘを回動中心域としてロック部７９と共にロック解除方向（矢印Ｍ２方向）に回動する。この結果、ロック部７９が軸状部材６のロック溝６０ｄから離脱するため、軸状部材６のロックは解除される。このとき、施錠の際にバネ部材８に蓄積された付勢力により、図２に示すように、軸状部材６は引き抜き方向（矢印Ｙ１方向）に自動的に復帰し、ストッパリング６０ｈが基部５の第１壁部５４に当接する位置（初期位置）まで戻る。更に、軸状部材６の先端係止部６２が室外側戸２５の縦框２６（召合せ框Ｎ）の被係止孔３０、錠受部材３２の連通孔３１から離脱する。これが軸状部材６の解錠位置（図２参照）である。上記したように解錠の際に、バネ部材８の付勢力により軸状部材６をこれの軸長方向に沿って直動させて初期位置に戻すものの、軸状部材６をこれの周方向に積極的に多数回回転させる操作が必要とされず、解錠時間が短くて済み、解錠操作性が改善される。
【００３７】
図７は、図１のＶＩＩ−ＶＩＩ線に沿った断面図を示す。図７に示すように、主防犯錠９は周知構造のクレセントで形成されている。具体的には、主防犯錠９は、室外側戸２５の縦框２６（召合せ框Ｎ）に設けられたスライド溝９１をもつ締結具９２と、室内側戸２１の縦框２２（召合せ框Ｎ）に設けられスライド溝９１に嵌合する回動部９３をもつ回動操作具９４とを有する。周知のように、回動操作具９４を指先等で一方向に回動すると、回動部９３が締結具９２のスライド溝９１に嵌合し、主防犯錠９の施錠が行われる。また回動操作具９４を指先等で他方向に回動すると、回動部９３が締結具９２のスライド溝９１から離脱し、主防犯錠９の解錠が行われる。主防犯錠９は、周知のように、室内側戸２１及び室外側戸２５をこれらの厚み方向に締結する機能と、室内側戸２１及び室外側戸２５を閉鎖進行方向へ付勢する機能とをもつ。
【００３８】
以上説明したように本実施形態によれば、軸状部材６をこれの軸長方向に沿って防犯錠４の基部５に対して押し込み操作して押し込み方向（矢印Ｙ２方向）に直動させれば、軸状部材６を施錠位置に設定して室内側戸２１及び室外側戸２５の施錠を行うことができる。また施錠状態においてロック部材７のロック解除部７８をロック解除方向（矢印Ｍ２方向）へ回動操作すれば、軸状部材６のロックが解除されるため、軸状部材６はこれの軸長方向に沿ってバネ部材８により自動的に引き抜き操作され、引き抜き方向（矢印Ｙ１方向）に直動する。このため軸状部材６を解錠位置にして、室内側戸２１及び室外側戸２５の解錠を行うことができる。
【００３９】
このように本実施形態によれば、施錠の際にも解錠の際にも、軸状部材６がこれの軸長方向に沿って直動するものであり、軸状部材６をこれの周方向に多数回積極的に回転させる必要がないため、正常使用時における施錠時間も短縮され、同様に、正常使用時における解錠時間も短縮される。ただし、軸状部材６が多少回動することがあっても、施錠及び解錠には支障はない。
【００４０】
更に本実施形態によれば、軸状部材６をこれの軸長方向に沿って押し込み操作すれば、軸状部材６を施錠位置に自動的にロックさせるロック部材７が設けられているため、上記したように施錠時間及び解錠時間を短縮させつつも、軸状部材６を施錠位置にロックでき、防犯上有利である。更に指先等でロック部材７のロック解除部７８をロック解除方向（矢印Ｍ２方向）に回動操作すれば、バネ部材８の付勢力により軸状部材６を解錠位置（初期位置）に自動的に復帰させ得るため、解錠時間が短時間で済み、正常使用時における解錠操作性が改善されている。
【００４１】
更に本実施形態によれば、自動復帰用のバネ部材８は軸状部材６の外周部に巻回されたコイル状のバネであるため、バネ部材８を配置するための大きなスペースが必要とされず、小型化に有利であり、防犯錠４を縦框２２の狭い空洞に（召合い框）に組み込むのに有利となる。
【００４２】
また本実施形態によれば、前述したように、縦框２２に固定される基部５の第３挿通孔５８及び第４挿通孔５９に軸状部材６は挿通されているため、軸状部材６は正常に姿勢を維持できるように基部５に保持される。そして、このような軸状部材６にロック部材７の第１挿通孔７５及び第２挿通孔７７が挿通されているため、ロック部材７は基部５から外れることが抑えられている。このためロック部材７を特別な部品で外れ止めする必要がなく、防犯錠４を縦框２２の狭い空洞に（召合い框）に組み込むのに有利となる。即ち、軸状部材６は施錠機能の他に、ロック部材７を保持する機能も併有し、部品点数の削減に貢献できる。
【００４３】
また本実施形態に係る防犯錠４は、クレセントで形成された主防犯錠９と共に併用される補助錠であり、図１に示すように主防犯錠９から寸法ｈぶん上方に離れて配置されている。このため侵入者がクレセントである主防犯錠９付近のガラスを破って手を差し込んだとしても、防犯錠４までは手が届きにくく、防犯錠４の解錠は容易ではない。更に、本実施形態に係る防犯錠４は、クレセントで形成された主防犯錠９から寸法ｈぶん上方に離れて配置されているため、侵入者の位置からは防犯錠４の高さ位置まで届きにくいため、ガラスを破りにくく、また、時間を要するため防犯上有利となる。
【００４４】
（他の例）
上記した実施形態によれば、室内側戸２１及び室外側戸２５はそれぞれスライド可能とされているが、これに限らず、室内側戸２１及び室外側戸２５のうちの一方のみがスライド可能であり、他方が固定されていても良い。上記した実施形態に係る防犯錠４は、クレセントである主防犯錠９と併せて用いられる補助錠であるが、これに限らず、主防犯錠としても良いものである。またクレセントである主防犯錠９と共に、あるいは、クレセントである主防犯錠９を廃止した状態で、上記した実施形態に係る防犯錠４を複数個（２個以上）、互いに間隔を隔てて室内側戸２１の框２２に取り付けることにしても良い。
【００４５】
上記した実施形態によれば、室内側戸２１及び室外側戸２５はガラス窓２４を有する窓であるが、これに限らず、スライド開閉式のドアとしても良い。上記した実施形態によれば、バネ部材８は軸状部材６の外周部に同軸的に嵌められたコイル状のバネであるが、これに限らず、板バネ等の他のバネでも良い。ロック解除部７８は軸状部材６の軸長方向に対して交差する方向に移動される方式であるが、これに限られるものではない。被ロック部としては、軸状部材６の凹状をなすロック溝６０ｄとされているが、これに限らず、凸部としても良い。軸状部材６は断面円形状とされているが、これに限らず、断面角形状とすることもできる。
【００４６】
上記した実施形態によれば、主防犯錠９と併せて用いられる補助錠として機能する本実施形態に係る防犯錠４の高さ位置は、主防犯錠９の高さ位置よりも寸法ｈ相当ぶん高く設定されているが、これに限らず、場合によっては、主防犯錠９の高さ位置よりも低く設定しても良い。一般的には、侵入者がクレセントである主防犯錠９付近のガラスを破って手を差し込んだとき、侵入者の手が届きにくくするためには、防犯錠４は主防犯錠９の高さ位置よりも高くすることが好ましい。従って、主防犯錠９の高さ位置よりも寸法ｈ相当ぶん高い防犯錠４と、主防犯錠９の高さ位置よりも低い防犯錠４とを、主防犯錠９と共に併用しても良い。その他、本発明は上記し且つ図面に示した実施形態のみに限定されるものではなく、要旨を逸脱しない範囲内で適宜変更して実施できるものである。
【産業上の利用可能性】
【００４７】
家屋、ビル等の構造物に使用される窓やドアに代表される開閉引き戸装置１の防犯錠に利用することができる。
【図面の簡単な説明】
【００４８】
【図１】開閉引き戸装置の正面図である。
【図２】図１のＩＩ−ＩＩ線に沿うと共に防犯錠の解錠状態を示す断面図である。
【図３】防犯錠の側面図である。
【図４】防犯錠に装備されるロック部材の断面図である。
【図５】図３のＶ−Ｖ線に沿った断面図であり、防犯錠の断面図である。
【図６】図１のＩＩ−ＩＩ線に沿うと共に防犯錠の施錠状態を示す断面図である。
【図７】図１のＶＩＩ−ＶＩＩ線に沿う断面図である。
【符号の説明】
【００４９】
図中、１は開閉引き戸装置、２は構造物、２１は室内側戸、２２は縦框、２３は横框、２５は室外側戸、２６は縦框、２７は横框、３０は被係止孔（被係止部）、４は防犯錠、５は基部、５２は保持部、５８は第３挿通孔、５９は第４挿通孔、６は軸状部材、６１は操作ノブ（操作部）、６２は先端係止部、６０ｄはロック溝（被ロック部）、７はロック部材、７４は突出部、７５は第１挿通孔、７６は傾斜部、７７は第２挿通孔、７８はロック解除部、７９はロック部、８はバネ部材（弾性部材）、９は主防犯錠を示す。
【図１】
2005133484.tif 000003
【図２】
2005133484.tif 000004
【図３】
2005133484.tif 000005
【図４】
2005133484.tif 000006
【図５】
2005133484.tif 000007
【図６】
2005133484.tif 000008
【図７】
2005133484.tif 000009